(57)【要約】【課題】指による連続する入力の隣接する電極の境界での連続性を確保することができるマトリクス型タッチパネルを実現する。【解決手段】タッチパネル１は、互いに交差するように設けられた複数のＸ電極Ｘｉおよび複数のＹ電極Ｙｊを抵抗膜式タッチパネルで構成することにより、連続的な入力と多点入力とを可能にしたマトリクス型タッチパネルである。ＣＰＵ６において、隣接するＸ電極Ｘｉ，Ｘ＋ｉまたはＹ電極Ｙｊ，Ｙｊ＋１を１つの指で同時にタッチしたときに両電極から１つずつ検出される２つの入力点から中間値を生成して、２つの入力点を当該中間値に置き替えて出力する。【選択図】図１
2010129034.tif 000002
【特許請求の範囲】
【請求項１】
対向する２枚の基板上に互いに交差するように形成されたストライプ状の電極と、一方の基板側の前記電極の各々の両端に電圧を印加する電圧印加手段と、他方の基板側の前記電極の一端から出力された検出電圧に基づいて各電極における入力点の位置情報を出力する位置情報出力手段とを備えたマトリクス型タッチパネル装置において、
２つの前記入力点が検出されたとき、当該２つの入力点が、隣接する２つの前記電極において所定の間隔以下の間隔をおいた近接２点であるか否かを判定する近接２点判定手段と、
前記２つの入力点が前記近接２点であると判定されると、前記２つの入力点の座標値の中間値を生成する中間値生成手段とを備え、
前記位置情報出力手段が、前記２つの入力点の座標値に代えて前記中間値を出力することを特徴とするマトリクス型タッチパネル装置。
【請求項２】
前記近接２点判定手段は、検出された２つの前記入力点の間の距離を算出し、当該距離が所定値以下であるときに、２つの前記入力点が前記近接２点として検出されたと判定することを特徴とする請求項１に記載のマトリクス型タッチパネル装置。
【請求項３】
前記近接２点判定手段は、２つの前記入力点が隣接する２つの電極において隣接側の端から所定範囲内の領域にそれぞれ存在するときに、２つの前記入力点が前記近接２点として検出されたと判定することを特徴とする請求項１に記載のマトリクス型タッチパネル装置。
【請求項４】
検出された入力点が所定の入力可能領域内にあるか否かを判定する領域判定手段と、
前記位置情報出力手段は、前記入力点が前記入力可能領域内にあると判定されたときに前記入力点についての前記位置情報を出力し、前記入力点が前記入力可能領域内にないと判定されたときに前記入力点についての前記位置情報を出力しないことを特徴とする請求項１から３のいずれか１項に記載のマトリクス型タッチパネル装置。
【発明の詳細な説明】
【技術分野】
【０００１】
本発明は、アナログ抵抗膜方式のタッチパネルをマトリクス型に構成したマトリクス型タッチパネル装置に関するものである。
【背景技術】
【０００２】
アナログ抵抗膜方式のタッチパネルは、高分解能での入力が可能であるが、複数点で入力すると、その入力位置の中間値が検出されるという不都合がある。
【０００３】
このため、アナログ抵抗膜方式のタッチパネルでも複数点の入力を可能にする技術が開発されている。例えば、特許文献１には、マトリクス状に構成された短冊状抵抗膜に、アナログ抵抗膜方式のタッチパネルと同様にして電圧を印加することで、入力位置の電圧を検出することが開示されている。
【０００４】
このような構成では、マトリクス型のタッチパネルの特徴により、短冊状抵抗膜が交差して形成されるスイッチ押圧領域で同時の入力を検出することが可能になる。また、各スイッチ押圧領域では、アナログ抵抗膜方式のタッチパネルの特徴により、細かく入力を検出することができる。
【特許文献１】特開平９−４５１８４号公報（１９９７年２月１４日公開）
【発明の開示】
【発明が解決しようとする課題】
【０００５】
ところが、上記のようなタッチパネルでは、連続した軌跡を描くように指でタッチ入力する場合、隣接する２つの短冊状抵抗膜に同時に指が触れるとき、両抵抗膜で１点ずつの２点の入力が検出されてしまう。このため、この境界部分で、連続的な入力が不連続的に検出されてしまうという不都合がある。
【０００６】
本発明は、上記の問題点に鑑みてなされたものであり、その目的は、連続する入力の隣接する２つの電極の境界での連続性を確保することができるマトリクス型タッチパネル装置を提供することにある。
【課題を解決するための手段】
【０００７】
本発明に係るマトリクス型タッチパネル装置は、対向する２枚の基板上に互いに交差するように形成されたストライプ状の電極と、一方の基板側の前記電極の各々の両端に電圧を印加する電圧印加手段と、他方の基板側の前記電極の一端から出力された検出電圧に基づいて各電極における入力点の位置情報を出力する位置情報出力手段とを備えたマトリクス型タッチパネル装置において、上記の課題を解決するために、２つの前記入力点が検出されたとき、当該２つの入力点が、隣接する２つの前記電極において所定の間隔以下の間隔をおいた近接２点であるか否かを判定する近接２点判定手段と、前記２つの入力点が前記近接２点であると判定されると、前記２つの入力点の座標値の中間値を生成する中間値生成手段とを備え、前記位置情報出力手段が、前記２つの入力点の座標値に代えて前記中間値を出力することを特徴としている。
【０００８】
上記の構成では、２つの入力点が検出されたとき、近接２点判定手段によって、この２点の入力点が近接２点であると判定されると、中間値生成手段によって、これらの２つの入力点の中間値が生成される。そして、位置情報出力手段によって、この中間値が２つの入力点の代わりに出力される。これにより、指でタッチ操作が行われる場合、隣接する２つの電極に跨がってタッチされると、それぞれの電極で１つずつ入力点が検出されるが、これらの２つの入力点が近接２点と判定されるように所定の間隔を設定すれば、上記の２つの入力点が近接２点として判定される。したがって、このような２つの入力点に対して中間値が生成されるので、指によるドラッグ操作や描画操作のような連続したタッチ操作をしているときに、隣接する電極間で検出される上記のような２つの入力点が１つの中間値に置き替えられる。
【０００９】
前記マトリクス型タッチパネル装置において、前記近接２点判定手段が近接２点を判定するには、例えば次のようにして行われる。
【００１０】
第１の判定では、検出された２つの前記入力点の間の距離を算出し、当該距離が所定値以下であるときに、２つの前記入力点が前記近接２点として検出されたと判定する。この場合、算出した２つの入力点間の距離に基づいて近接２点が判定される。
【００１１】
また、第２の判定では、２つの前記入力点が隣接する２つの電極において隣接側の端から所定範囲内の領域にそれぞれ存在するときに、２つの前記入力点が前記近接２点として検出されたと判定する。この場合、近接した２つの領域にそれぞれ１つずつ入力点が検出されたことで、２つの入力点が近接２点であると判定される。
【００１２】
前記マトリクス型タッチパネル装置は、検出された入力点が所定の入力可能領域内にあるか否かを判定する領域判定手段と、前記位置情報出力手段は、前記入力点が前記入力可能領域内にあると判定されたときに前記入力点についての前記位置情報を出力し、前記入力点が前記入力可能領域内にないと判定されたときに前記入力点についての前記位置情報を出力しないことが好ましい。
【００１３】
この構成では、意図せずに手が入力可能領域にタッチパネルに触れたときでも、領域判定手段によって、接触部分で検出された入力点が入力可能領域内にないと判定されると、位置情報出力手段によって、当該入力点が出力されない。したがって、その接触部分の位置情報が不用意に出力されることを防止できる。
【発明の効果】
【００１４】
本発明に係るマトリクス型タッチパネル装置は、以上のように、２つの入力点が検出されたとき、特定された前記入力点に基づいて、当該２つの入力点が、隣接する２つの電極において所定の間隔以下の間隔をおいた近接２点であるか否かを判定する近接２点判定手段と、前記２つの入力点が前記近接２点であると判定されると、前記２つの入力点の座標値の中間値を生成する中間値生成手段とを備え、位置情報出力手段が、前記２つの入力点の座標値に代えて前記中間値を出力するので、指によるドラッグ操作や描画操作のような連続したタッチ操作をしているときに、隣接する２つの電極でそれぞれ検出される各入力点（２つの入力点）が近接２点として１つの中間値に置き替えられる。したがって、連続する入力の隣接する２つの電極の境界での連続性を確保することができるという効果を奏する。
【発明を実施するための最良の形態】
【００１５】
本発明の一実施形態について図１ないし図４に基づいて説明すると、以下の通りである。
【００１６】
図１は、本発明の一実施の形態に係るタッチパネル装置１１の構成を示している。
【００１７】
図１に示すように、タッチパネル装置１１は、タッチパネル１と、タッチパネルコントローラ２とを備えている。
【００１８】
マトリクス型のタッチパネル１は、対向して配される２枚の基板１２，１３を有している。押圧側となる基板１２は、押圧されて変形しうるようにフィルムまたは薄いガラスによって形成されている。一方、支持側となる基板１３は、押圧によって変形しないようにガラスまたはプラスチックによって形成されている。
【００１９】
基板１２の内側面には、複数の透明なｍ本のＸ電極Ｘ１〜Ｘｍが互いに平行に同一方向へ伸びるようにストライプ状に形成されている。一方、基板１３の内側面には、複数の透明なｎ本のＹ電極Ｙ１〜Ｙｎが互いに平行に同一方向へ伸びるようにストライプ状に形成されている。Ｘ電極Ｘ１〜ＸｍとＹ電極Ｙ１〜Ｙｎとは、垂直に交差するように配されている。Ｘ電極Ｘ１〜ＸｍとＹ電極Ｙ１〜Ｙｎとが交差する領域が入力領域となるセルＡ１１〜Ａｍｎを形成している。
【００２０】
また、Ｘ電極Ｘ１〜ＸｍおよびＹ電極Ｙ１〜Ｙｎは、例えば、ＩＴＯ（インジウム錫酸化物）のような透明電極材料によって形成されている。Ｘ電極Ｘ１〜ＸｍおよびＹ電極Ｙ１〜Ｙｎは、数ｍｍ〜数ｃｍの幅を有することが好ましい。また、Ｘ電極Ｘ１〜ＸｍおよびＹ電極Ｙ１〜Ｙｎｍの幅は、均一であってもよいが、不均一であってもよい。
【００２１】
なお、Ｘ電極Ｘ１〜ＸｍとＹ電極Ｙ１〜Ｙｎとは、必ずしも垂直に交差していなくてもよいが、後述するＣＰＵ６による演算の都合上、垂直に交差していることが好ましい。
【００２２】
また、以降の説明では、Ｘ電極Ｘ１〜Ｘｍを代表して説明するときにＸ電極Ｘｉと称し、Ｙ電極Ｙ１〜Ｙｎを代表して説明するときにＹ電極Ｙｊと称することとする。また、以降の説明では、セルＡ１１〜Ａｍｎを代表して説明するときにセルＡｉｊと称することとする。
【００２３】
タッチパネルコントローラ２は、選択回路３と、Ａ／Ｄ変換器（図中「Ａ／Ｄ」にて示す）４と、コンパレータ（図中「ＣＯＭＰ」にて示す）５と、ＣＰＵ６とを有している。タッチパネルコントローラ２は、例えば、１つのチップでマイクロコンピュータを含みアナログ回路およびデジタル回路を自在に構成することができるセミカスタムＩＣによって構成されることが好ましい。これにより、タッチパネルコントローラ２を安価に構成することができる。
【００２４】
選択回路３は、Ｘ電極Ｘ１〜ＸｍおよびＹ電極Ｙ１〜Ｙｎのそれぞれの両端に電圧Ｖaを印加する回路である。具体的には、選択回路３は、Ｘ電極Ｘ１〜ＸｍおよびＹ電極Ｙ１〜Ｙｎのそれぞれの両端または一端に電圧Ｖａを印加する。Ｘ電極Ｘ１〜ＸｍおよびＹ電極Ｙ１〜Ｙｎへ電圧Ｖａを印加するタイミングは、一斉であってもよいし、それぞれ重複しないようにずらしたタイミングであってもよい。一斉に電圧Ｖａを印加しておくことにより、ずらしたタイミングで電圧Ｖａを印加する場合に比べて、タッチされたセルＡｉｊおよび当該セルＡｉｊにおける入力点を素早く検出することができる。
【００２５】
また、選択回路３は、セルＡｉｊがタッチされたときに、Ｘ電極ＸｉおよびＹ電極Ｙｊの一端から出力される検出電圧を、まずコンパレータ５に出力し、当該検出電圧に基づくコンパレータ５によるセルＡｉｊの検出が行われてから、Ａ／Ｄ変換器４に出力する。このため、選択回路３は、Ｘ電極Ｘ１〜ＸｍおよびＹ電極Ｙ１〜Ｙｎのうち、検出電圧が出力された電極とＡ／Ｄ変換器４およびコンパレータ５とを接続するアナログスイッチを各電極毎に有している。このアナログスイッチは、電極を選択するためにＣＰＵ６による制御でＯＮ・ＯＦＦが制御される。具体的には、アナログスイッチは、全電極のセルＡｉｊに対応するＸ電極ＸｉおよびＹ電極Ｙｊを切り替えて順次コンパレータ５に接続し、タッチが検出されたセルＡｉｊから出力された検出電圧をＡ／Ｄ変換器４に出力するように、当該セルＡｉｊに対応するＸ電極ＸｉおよびＹ電極Ｙｊを順次Ａ／Ｄ変換器４に接続する。
【００２６】
なお、図１においては、便宜上、Ｘ電極Ｘｉ（１≦ｉ≦ｍ）およびＹ電極Ｙｊ（１≦ｊ≦ｎ）にのみ電圧Ｖaが印加されるように示している。
【００２７】
Ａ／Ｄ変換器４は、選択回路３における第１検出電圧出力端子（図示せず）に接続されており、当該第１検出電圧出力端子から出力される検出電圧をデジタル値に変換する回路である。Ａ／Ｄ変換器４から出力されたデジタルの検出値は、Ｘ電極ＸｉおよびＹ電極Ｙｊにおける入力点（Ｘ座標値およびＹ座標値）の位置を表す。
【００２８】
コンパレータ５は、選択回路３における第２検出電圧出力端子（図示せず）に接続されており、当該第２検出電圧出力端子から出力される検出電圧を一定の基準電圧Ｖｒｅｆと比較する。コンパレータ５は、その比較の結果、例えば、検出電圧が基準電圧Ｖｒｅｆ以上であるときにＨレベルの電圧を出力し、検出電圧が基準電圧Ｖｒｅｆ未満であるときにＬレベルの電圧を出力する。これにより、コンパレータ５は、タッチされたセルＡｉｊに対応するＸ電極ＸｉおよびＹ電極Ｙｊから出力される検出電圧が基準電圧Ｖｒｅｆ以上であると判定して、Ｈレベルの電圧を出力する。
【００２９】
前述のように、コンパレータ５が、Ａ／Ｄ変換器４による座標値の検出に先立って、タッチされたセルＡｉｊを検出して、タッチされたセルＡｉｊのみから得られる検出電圧に基づいてＡ／Ｄ変換器４で座標値を得ることから、素早く座標値を得ることができる。これに対し、タッチパネルコントローラ２は、コンパレータ５を備えていなくても、Ａ／Ｄ変換器４によって入力点の座標値を得ることができるが、前述のように、各電極をアナログスイッチによって切り替えてＡ／Ｄ変換器４に接続することから、タッチされたセルＡｉｊによる入力点の検出に時間がかかる。したがって、検出速度を高めるには、タッチパネルコントローラ２がコンパレータ５を備えることが好ましい。
【００３０】
ＣＰＵ６は、コンパレータ５から出力されるＨレベルの電圧に基づいて、タッチされたセルＡｉｊを特定する。また、ＣＰＵ６は、当該セルＡｉｊに対応するＸ電極ＸｉおよびＹ電極ＹｊからのそれぞれのＸ座標値およびＹ座標値に基づいてＡ／Ｄ変換器４で検出された当該セルＡｉｊにおける入力点と、当該セルＡｉｊ（Ｘ電極ＸｉおよびＹ電極Ｙｊ）との組み合わせから、タッチパネル１全体におけるタッチ位置の座標データを生成する。さらに、ＣＰＵ６は、２点以上で入力されたとき、Ａ／Ｄ変換器４から早く出力された順に座標値に基づいて座標データを生成していく。これは、後述する近接２点についても同様である。
【００３１】
その他、ＣＰＵ６は、生成した座標データに基づいて、検出された２つの入力点が、隣接するＸ電極Ｘｉ，Ｘｉ＋１および隣接するＹ電極Ｙｊ，Ｙｊ＋１におけるそれぞれの境界部分で検出されたものか、隣接していない電極で検出されたものかを判定する。また、ＣＰＵ６は、隣接電極でそれぞれ出力される２つの入力点についてのみＸ座標値およびＹ座標値の中間値の座標データを生成して、検出された２つの入力点の座標データに代えて１つの入力点の座標データ出力する。また、ＣＰＵ６は、所定のペン入力領域以外のタッチ入力に対して、その座標データの出力を停止する。ＣＰＵ６は、所定のプログラムを実行することにより、上記の各機能を実現する。
【００３２】
続いて、上記の各機能について図２を参照して説明する。図２は、各機能をブロック化して表したブロック図である。ＣＰＵ６は、上記の各機能を実現するブロックとして、出力部６１と、２点入力判定部６２と、中間値生成部６３と、入力点判定部６４とを含んでいる。
【００３３】
出力部６１は、入力点が検出されたＸ電極ＸｉおよびＹ電極Ｙｊを認識し、当該Ｘ電極ＸｉおよびＹ電極Ｙｊと、Ａ／Ｄ変換器４からのＸ座標値およびＹ座標値とを組み合わせることにより、タッチパネル１全体におけるタッチ位置の座標データを生成して出力する。また、出力部６１は、２点入力判定部６２によって、２つの入力点が隣接する２つの電極において検出されたものであると判定されたとき、中間値生成部６３で生成された１つの中間値の座標データを当該２つの入力点の座標データと置き替えて出力する。また、出力部６１は、入力点判定部６４によって後述するペン入力可能領域Ｂ（図４参照）以外の領域の入力点が検出されたとき、当該入力点の座標データの出力を停止（禁止）する。
【００３４】
２点入力判定部６２は、Ａ／Ｄ変換器４からのＸ座標値およびＹ座標値に基づいて、２つの入力点間の間隔（２つの入力点の座標値の差）が所定の間隔以下であるか否かを判定する。当該所定の間隔は、指でタッチパネル１をタッチする場合、隣接する２つのＸ電極Ｘｉ，Ｘｉ＋１または隣接する２つのＹ電極Ｙｊ，Ｙｊ＋１にそれぞれ跨がって１つの指先がタッチしている状態で、隣接する両電極において検出されたそれぞれ１つずつの入力点間の最大の間隔（２つの入力点が検出可能な最大の間隔）となるように設定されている。
【００３５】
これにより、２点入力判定部６２は、２つの入力点間の間隔が所定の間隔以下であると判定することで、当該入力点が、隣接する２つの電極間で１つの指によりタッチされることで検出できる程度に近接している２点（近接２点）であると判定することができる。また、２点入力判定部６２は、２つの入力点が所定の間隔以下でないと判定することにより、当該２つの入力点が、離間した２点（例えば２つの指）でタッチされることで検出されたものであると判定することができる。
【００３６】
あるいは、２点入力判定部６２は、Ａ／Ｄ変換器４からのＸ座標値およびＹ座標値に基づいて、２つの入力点が、隣接する２つのＸ電極Ｘｉ，Ｘｉ＋１または隣接する２つのＹ電極Ｙｊ，Ｙｊ＋１の隣接する側の端部から所定の間隔の２点検出領域においてそれぞれ検出されたものであるか否かを判定する。例えば、隣接する２つのＹ電極Ｙｊ，Ｙｊ＋１の場合、図３（ａ）に示すように、それぞれ所定の間隔Ｄａ，Ｄｂを有する２点検出領域Ｙａ，Ｙｂが設けられる。
【００３７】
上記の２点検出領域の幅を決定する所定の間隔は、１つの指でタッチパネル１をタッチする場合、隣接する２つのＸ電極Ｘｉ，Ｘｉ＋１または隣接する２つのＹ電極Ｙｊ，Ｙｊ＋１に跨がって指がタッチしている状態で、隣接する両電極においてそれぞれ１つずつの入力点が検出されうる最大の間隔となるように設定されている。
【００３８】
これにより、２点入力判定部６２は、２つの入力点が隣接するそれぞれの電極における２点検出領域で検出されたものであると判定することで、当該入力点が、隣接する２つの電極間で１つの指によりタッチされることで検出できる程度に近接している２点（近接２点）であると判定することができる。また、２点入力判定部６２は、２つの入力点の少なくとも１つが２点検出領域外で検出されたものであると判定することにより、当該２つの入力点が、離間した２点（例えば２つの指）でタッチされることで検出されたものであると判定することができる。
【００３９】
中間値生成部６３は、２点入力判定部６２によって、２つの入力点が近接２点であると判定されると、当該２つの入力点のＸ座標値およびＹ座標値に基づいて、これらの入力点の中間値を生成する。中間値を得るには、最も簡単には、２つのＸ座標値およびＹ座標値をそれぞれ加算して１／２するが、適当な重み付けをした演算により得てもよい。
【００４０】
また、中間値生成部６３は、２つの入力点（Ｘ座標値およびＹ座標値）の中間値については、例えば、次のように生成してもよい。
【００４１】
まず、図３（ａ）に示すように、隣接するＹ電極Ｙｊ，Ｙｊ＋１に跨がって１つの指によりタッチされたタッチ領域Ｔを想定する。円形と仮想できるタッチ領域ＴにおけるＹ電極Ｙｊ側の外周端（円周部分）と、Ｙ電極ＹｊにおけるＹ電極Ｙｊ＋１側の端との間の距離をｒａとし、Ｙ電極Ｙｊの入力点Ｔ１（座標値ｙａ）をその距離ｒａの中点とする。また、タッチ領域Ｔにおける中心と、Ｙ電極Ｙｊ＋１におけるＹ電極Ｙｊ側の端との間の距離をｒｂとする。また、Ｙ電極Ｙｊ＋１の入力点Ｔ２の座標値ｙｂをとし、Ｙ電極ＹｊとＹ電極Ｙｊ＋１との間の間隔をｄとする。さらに、タッチ領域Ｔの半径をｒとすると、当該半径ｒで表される距離と、座標値ｙａと、座標値ｙｂとは、それぞれ下記の式で表される。
【００４２】
ｒ＝ｒａ＋ｒｂ＋ｄ                                                  …（１）
ｙａ＝ｒａ／２                                                      …（２）
ｙｂ＝（ｒ＋ｒｂ）／２                                              …（３）
式（１）および式（３）により次式が導き出される。
【００４３】
ｙｂ＝（ｒａ＋ｒｂ＋ｄ＋ｒｂ）／２＝（ｒａ＋２ｒｂ＋ｄ）／２        …（４）
次いで、式（４）から次式が導き出される。
【００４４】
ｒｂ＝ｙｂ−（ｒａ＋ｄ）／２                                        …（５）
そして、式（２）および式（５）により次式が導き出される。
【００４５】
ｒｂ＝ｙｂ−ｙａ−ｄ／２                                            …（６）
このようにして、座標値ｙｂが算出される。この座標値ｙｂは、タッチ領域Ｔのほぼ中心となる入力点Ｔ３として得られる。
【００４６】
なお、説明は省略するが、このような中間値の生成は、隣接するＸ電極Ｘｉ，Ｘｉ＋１についても同様にして行われる。
【００４７】
入力点判定部６４は、Ａ／Ｄ変換器４から出力されるＸ座標値およびＹ座標値に基づいて、両座標値で特定される入力点が、図４に示す所定のペン入力可能領域Ｂ内のセルＡｉｊで検出された点であるか否かを判定する。
【００４８】
続いて、上記のように構成されるタッチパネル装置１１において、指やペンをタッチパネル１の操作面に押し付けた状態で移動させる連続入力を行う場合の入力点の検出動作について説明する。
【００４９】
まず、指によるタッチ操作の場合、２点入力判定部６２では、各Ａ／Ｄ変換器４から出力される２つの入力点のＸ座標値およびＹ座標値に基づいて、２つの入力点が所定の間隔以下であると判定されると、当該入力点が近接２点であることがわかる。あるいは、２点入力判定部６２では、２つの入力点が隣接するそれぞれの電極における２点検出領域で検出されたものであると判定すると、当該入力点が近接２点であることがわかる。そして、中間値生成部６３では、上記のようにして近接２点であると判定された２つの入力点のＸ座標値およびＹ座標値に基づいて、これらの入力点の中間値が生成される。
【００５０】
例えば、図３（ａ）に示すように、Ｙ電極Ｙｊ上のタッチ領域Ｓでタッチされた場合、入力点Ｓ１のＹ座標が検出される。ところが、Ｙ電極Ｙｊ，Ｙｊ＋１に跨がるタッチ領域Ｔでタッチされた場合、Ｙ電極Ｙｊでは入力点Ｔ１が検出され、Ｙ電極Ｙｊ＋１では入力点Ｔ２が検出される。この場合、２点入力判定部６２によって、入力点Ｔ１，Ｔ２間の間隔Ｄが前述の所定の間隔以下であることで、入力点Ｔ１，Ｔ２が近接２点であると判定される。したがって、Ｙ座標に関しては、入力点Ｔ１，Ｔ２に基づいて新たな入力点Ｔ３を与える中間値が生成される。
【００５１】
あるいは、同様にＹ電極Ｙｊ，Ｙｊ＋１に跨がるタッチ領域Ｔでタッチされた場合、図３（ａ）に示すように、Ｙ電極Ｙｊでは、２点検出領域Ｙａで入力点Ｔ１が検出され、Ｙ電極Ｙｊ＋１では２点検出領域Ｙｂで入力点Ｔ２が検出される。この場合は、２点入力判定部６２によって、入力点Ｔ１，Ｔ２が近接２点であると判定される。したがって、Ｙ座標に関しては、入力点Ｔ１，Ｔ２に基づいて新たな入力点Ｔ３を与える中間値が生成される。
【００５２】
同様にして、図３（ｂ）に示すように、Ｘ電極Ｘｉ，Ｘｉ＋１に跨がるタッチ領域Ｕでタッチされた場合、Ｘ電極Ｘｉでは入力点Ｕ１が検出され、Ｘ電極Ｘｉ＋１では入力点Ｕ２が検出されるので、これらが近接２点であると判定される。したがって、Ｘ座標に関しては、入力点Ｕ１，Ｕ２に基づいて新たな入力点Ｕ３を与える中間値が生成される。
【００５３】
このようにして生成された中間値の座標データは、２つの入力点の代わりに出力部６１から１つの入力点として出力される。
【００５４】
このように、本実施の形態のタッチパネル装置１１は、互いに交差するように設けられた複数のＸ電極Ｘｉおよび各Ｙ電極Ｙｊを抵抗膜式タッチパネルで構成することにより、連続的な入力と多点入力とを可能にしたマトリクス型タッチパネル装置であって、連続的な入力をしている場合、隣接するＸ電極Ｘｉ，Ｘ＋ｉまたはＹ電極Ｙｊ，Ｙｊ＋１を１つの指で同時にタッチしたときに検出される２つの入力点に基づいて中間値を生成して、隣接する電極間で検出される２つの入力点を当該中間値に置き替えて出力する。これにより、隣接する電極間の境界部分における不連続性を解消することができる。それゆえ、マトリクス型タッチパネル装置におけるドラッグ操作や描画操作などの連続的な入力操作によって得られる座標データをより滑らかな軌跡を描くように出力することができる。
【００５５】
さらに、手のひらをタッチパネル１上においてペン入力する場合の入力点の検出動作について説明する。
【００５６】
例えば、図４に示すように、ペンＰにてペン入力可能領域Ｂに入力を行う場合、手Ｈをタッチパネル１の領域Ｂ上に置いた状態でペンＰを操作すると、ペン入力可能領域Ｂ以外に手Ｈで押されられた領域の入力点も検出される。このとき、ペン入力可能領域ＢにおけるペンＰによる入力点は、通常の１点の入力として処理されるので、その入力点について得られた座標データが出力部６１から出力される。一方、入力点判定部６４では、手Ｈで押されられた領域の入力点がペン入力可能領域Ｂ以外（入力禁止領域）に入力された入力点であると判定される。すると、当該入力点の座標データは、出力部６１によって出力されない。これにより、手Ｈで押さえられた領域では、入力点が検出されることがなく、誤検出を防止することができる。
【００５７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５８】
本発明のマトリクス型タッチパネル装置は、各電極を抵抗膜式タッチパネルで構成することにより、連続的な入力と多点入力とを可能にしたマトリクス型タッチパネル装置において、連続的な入力をしている場合、隣接する電極を１つの指で同時にタッチしたときに両電極で検出される２つの入力点から中間値を生成して、２つの入力点を１つの当該中間値に置き替えることにより、隣接する電極における入力の不連続性を解消することができるので、特に指でドラッグ操作や描画操作などを行うタッチパネルに好適に利用できる。
【図面の簡単な説明】
【００５９】
【図１】本発明の実施の一形態を示すタッチパネルの電極構造およびタッチパネルコントローラを示す図である。
【図２】上記タッチパネルコントローラにおける演算処理部の構成を示すブロック図である。
【図３】（ａ）は隣接するＹ電極における入力点の検出状態を示す図であり、（ｂ）は隣接するＸ電極における入力点の検出状態を示す図である。
【図４】ペンによる入力をするときに上記タッチパネル上に手をおいた状態を示す図である。
【符号の説明】
【００６０】
１            タッチパネル
２            タッチパネルコントローラ
３            選択回路（電圧印加手段）
４            Ａ／Ｄ変換器
５            コンパレータ
６            ＣＰＵ
１１            タッチパネル装置（マトリクス型タッチパネル装置）
１２，１３      基板
６１            出力部（位置情報出力手段）
６２            ２点入力判定部（近接２点判定手段）
６３            中間値生成部（中間値生成手段）
６４            入力点判定部（領域判定手段）
Ｂ              ペン入力可能領域（入力可能領域）
Ｔ，Ｕ          タッチ領域
Ｔ１〜Ｔ３      入力点
Ｕ１〜Ｕ３      入力点
Ｄ              間隔
Ｄａ，Ｄｂ      間隔
Ｘ１，Ｘ２，…  Ｘ電極（電極）
Ｙ１，Ｙ２，…  Ｙ電極（電極）
Ｙａ，Ｙｂ      ２点検出領域（領域）
【図１】
2010129034.tif 000003
【図２】
2010129034.tif 000004
【図３】
2010129034.tif 000005
【図４】
2010129034.tif 000006